(57)【要約】      （修正有）【課題】基地局の時分割複信システムの構成情報を共通制御チャンネルの情報で端末に伝達してアップリンクとダウンリンクのトラフィックの変化に動的に対応する方法を提供する。【解決手段】無線システムにおいて、基地局は、ＴＤＤ（Ｔｉｍｅ  Ｄｉｖｉｓｉｏｎ  Ｄｕｐｌｅｘ）設定情報のためのＲＮＴＩ（ｒａｄｉｏ  ｎｅｔｗｏｒｋ  ｔｅｍｐｏｒａｒｙ  ｉｄｅｎｔｉｆｉｅｒ）を識別し、ＴＤＤ設定情報を含むダウンリンク制御情報（ＤＣＩ：Ｄｏｗｎｌｉｎｋ  Ｃｏｎｔｒｏｌ  Ｉｎｆｏｒｍａｔｉｏｎ）を生成し、ＲＮＴＩでスクランブルされたＣＲＣ（ｃｙｃｌｉｃ  ｒｅｄｕｎｄａｎｃｙ  ｃｈｅｃｋ）シーケンスをＤＣＩに添付し、ＤＣＩによって生成された制御情報を共通制御チャンネルを介して送信する。ＴＤＤ設定情報は、ダウンリンクサブフレーム、アップリンクサブフレーム及びスペシャルサブフレームを含むラジオフレームを指示する。【選択図】図４
2018074606.tif 000002
【特許請求の範囲】
【請求項１】
無線通信システムにおいて、基地局のＴＤＤ（Ｔｉｍｅ  Ｄｉｖｉｓｉｏｎ  Ｄｕｐｌｅｘ）設定情報送信方法であって、
前記ＴＤＤ設定情報のためのＲＮＴＩ（ｒａｄｉｏ  ｎｅｔｗｏｒｋ  ｔｅｍｐｏｒａｒｙ  ｉｄｅｎｔｉｆｉｅｒ）を識別する過程と、
前記ＴＤＤ設定情報を含むダウンリンク制御情報（ＤＣＩ：  Ｄｏｗｎｌｉｎｋ  Ｃｏｎｔｒｏｌ  Ｉｎｆｏｒｍａｔｉｏｎ）を生成する過程と、
前記ＲＮＴＩでスクランブリングされたＣＲＣ（ｃｙｃｌｉｃ  ｒｅｄｕｎｄａｎｃｙ  ｃｈｅｃｋ）シーケンスを前記ＤＣＩに添付する過程と、
前記ＤＣＩによって生成された制御情報を共通制御チャンネルを介して送信する過程と、を含み、
前記ＴＤＤ設定情報は、ダウンリンクサブフレーム、アップリンクサブフレーム及びスペシャルサブフレームを含むラジオフレームを指示する送信方法。
【発明の詳細な説明】
【技術分野】
【０００１】
本発明は、無線通信システムにおいて、動的(Ｄｙｎａｍｉｃ ｓｕｂｆｒａｍｅ)を含む時分割複信(Ｔｉｍｅ Ｄｉｖｉｓｉｏｎ Ｄｕｐｌｅｘ、以下「ＴＤＤ」と記す)フレーム構成情報送受信方法及び装置に関する。
【背景技術】
【０００２】
ＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)送信方式は、多重キャリア、即ち、マルチ-キャリア(Ｍｕｌｔｉ−ｃａｒｒｉｅｒ)を使用してデータを送信する方式として、直列に入力されるシンボル(Ｓｙｍｂｏｌ)系列を並列化してこれらそれぞれを相互直交関係をもって複数のマルチキャリア、即ち、複数のサブキャリアチャンネル(Ｓｕｂ−ｃａｒｒｉｅｒ ｃｈａｎｎｅｌ)で変調して送信するマルチキャリア変調(Ｍｕｌｔｉ Ｃａｒｒｉｅｒ Ｍｏｄｕｌａｔｉｏｎ)方式の一種である。
【０００３】
このようなマルチキャリア変調方式を適用するシステムは、１９５０年代後半の軍用高周波ラジオに初めて適用された。複数の直交するサブキャリアを重ねるＯＦＤＭ方式は、１９７０年代から発展し始めたが、マルチキャリアの間の直交変調の具現が難解な問題であるので、実際システム適用に限界があった。しかし、１９７１年Ｗｅｉｎｓｔｅｉｎなどが前記ＯＦＤＭ方式を使用する変復調は、ＤＦＴ（Ｄｉｓｃｒｅｔｅ Ｆｏｕｒｉｅｒ Ｔｒａｎｓｆｏｒｍ)を利用して効率的に処理ができることを発表しながらＯＦＤＭ方式に対する技術開発が急速に発展した。また、ガードインターバル（ｇｕａｒｄ ｉｎｔｅｒｖａｌ）を使用して、ガードインターバルにサイクリックプレフィックス(Ｃｙｃｌｉｃ Ｐｒｅｆｉｘ、ＣＰ)シンボルを挿入する方式が知られながら多重経路及び遅延拡散(ｄｅｌａｙ ｓｐｒｅａｄ)に対するシステムの否定的影響がより減少された。
【０００４】
このような技術的発展に応じてＯＦＤＭ方式技術は、デジタルオーディオ放送(Ｄｉｇｉｔａｌ Ａｕｄｉｏ Ｂｒｏａｄｃａｓｔｉｎｇ、ＤＡＢ)とデジタルビデオ放送(Ｄｉｇｉｔａｌ Ｖｉｄｅｏ Ｂｒｏａｄｃａｓｔｉｎｇ、ＤＶＢ)、無線近距離通信網(Ｗｉｒｅｌｅｓｓ Ｌｏｃａｌ Ａｒｅａ Ｎｅｔｗｏｒｋ、ＷＬＡＮ)、及び無線非同期送信モード(Ｗｉｒｅｌｅｓｓ Ａｓｙｎｃｈｒｏｎｏｕｓ Ｔｒａｎｓｆｅｒ Ｍｏｄｅ、ＷＡＴＭ)などのデジタル送信技術に広範囲に適用されている。即ち、ＯＦＤＭ方式はハードウェア的な複雑度(ｃｏｍｐｌｅｘｉｔｙ)によって広く使用されることができなかったが近年、高速フーリエ変換(Ｆａｓｔ Ｆｏｕｒｉｅｒ Ｔｒａｎｓｆｏｒｍ、ＦＦＴ)と逆高速フーリエ変換(Ｉｎｖｅｒｓｅ Ｆａｓｔ Ｆｏｕｒｉｅｒ Ｔｒａｎｓｆｏｒｍ、ＩＦＦＴ)を含む各種デジタル信号処理技術が発展することによって実現可能になった。
【０００５】
ＯＦＤＭ方式は、従来の周波数分割多重(Ｆｒｅｑｕｅｎｃｙ Ｄｉｖｉｓｉｏｎ Ｍｕｌｔｉｐｌｅｘｉｎｇ、ＦＤＭ)方式と類似であるが何よりも複数個のトーンの間の直交性（ｏｒｔｈｏｇｏｎａｌｉｔｙ)を維持して送信することによって高速データ送信時の最適の送信効率を得ることができる特徴がある。また、ＯＦＤＭ方式は、周波数使用効率が良く、かつ多重経路フェージング(ｍｕｌｔｉ−ｐａｔｈ ｆａｄｉｎｇ)に強い特性があり、高速データ送信時の最適の送信効率を得ることができるという特徴がある。
【０００６】
ＯＦＤＭ方式の他の長所は周波数スペクトラムを重畳して使用するので周波数使用が効率的で、かつ周波数選択的フェージング(ｆｒｅｑｕｅｎｃｙ ｓｅｌｅｃｔｉｖｅ ｆａｄｉｎｇ)に強く、多重経路フェージングに強く、ガードインターバルを利用してシンボルの間の干渉(Ｉｎｔｅｒ Ｓｙｍｂｏｌ Ｉｎｔｅｒｆｅｒｅｎｃｅ、ＩＳＩ)影響を減らすことができ、ハードウェア的に等化器(ｅｑｕａｌｉｚｅｒ)構造を簡単に設計することが可能であり、インパルス(ｉｍｐｕｌｓｅ)性雑音に強いという長所を有し、通信システム構造に積極活用されつつある。
【０００７】
無線通信において高速、ハイクオリティーのデータサービスを阻害する要因は、おおよそチャンネル環境に起因する。前記無線通信でチャンネル環境は白色ガウス性雑音(ＡＷＧＮ：ａｄｄｉｔｉｖｅ ｗｈｉｔｅ Ｇａｕｓｓｉａｎ ｎｏｉｓｅ)以外にもフェージング(ｆａｄｉｎｇ)現象によって発生される受信信号の電力変化、陰影(ｓｈａｄｏｗｉｎｇ)、端末機の移動及び頻繁な速度変化によるドップラー(Ｄｏｐｐｌｅｒ)効果、他のユーザ及び多重経路(ｍｕｌｔｉ−ｐａｔｈ)信号による干渉などによってよく変わる。従って、無線通信で高速、ハイクオリティーのデータサービスをサポートするためには前記のようなチャンネル環境の阻害要因を効果的に解消するのが必要である。
【０００８】
ＯＦＤＭ方式で変調信号は、時間と周波数から構成された２次元リソース(ｒｅｓｏｕｒｃｅ)に位置する。時間軸上のリソースは互いに異なるＯＦＤＭシンボルに区別され、これらは互いに直交する。周波数軸上のリソースは互いに異なるトーン(ｔｏｎｅ)に区別されてこれらも互いに直交する。即ち、ＯＦＤＭ方式では時間軸上で特定ＯＦＤＭシンボルを指定して周波数軸上で特定トーンを指定すると一つの最小単位リソースを指すことができるのに、これをリソース要素(Ｒｅｓｏｕｒｃｅ Ｅｌｅｍｅｎｔ；ＲＥ)と称する。互いに異なるＲＥは、周波数選択的チャンネル(ｆｒｅｑｕｅｎｃｙ ｓｅｌｅｃｔｉｖｅ ｃｈａｎｎｅｌ)を経ても互いに直交する特性があり、互いに異なるＲＥに送信された信号は相互干渉を起こせず受信側に受信されることができる。
【０００９】
物理チャンネルは、一つまたはその以上の符号化されたビット列を変調した変調シンボルを送信する物理階層のチャンネルである。直交周波数分割多元接続(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ、ＯＦＤＭＡ) システムでは送信する情報系列の用途や受信機によって複数の物理チャンネルを構成して送信する。一つの物理チャンネルをどんなＲＥに配置して送信するのかを送信機と受信機が予め約束すべきであるが、その規則を写像またはマッピング(ｍａｐｐｉｎｇ)と言う。
【００１０】
無線通信システムは、多重化の方法に応じて、周波数分割複信（Ｆｒｅｑｕｅｎｃｙ ｄｉｖｉｓｉｏｎ ｄｕｐｌｅｘ、ＦＤＤ）の方法と時分割複信（ＴＤＤ）の方法があり、 ＦＤＤシステムは、ダウンリンクとアップリンクが異なる周波数帯域を使用して送信するシステムであり、基地局と端末は、送信と受信を同時に進行する方式である。ＴＤＤシステムは、ダウンリンクとアップリンクが相互に同じ周波数帯域を使用して送信するシステムで、基地局と端末は、送信と受信を同時にできない。従って、ＴＤＤシステムの場合には、端末と基地局が送信と受信の時間を予め約束して定められた時間に送信する方法を使用する。
【００１１】
従って、無線通信システムにおいて、基地局が時分割複信フレーム構成を動的に変えることによって時分割複信フレーム構成情報を共通制御チャンネルの予め指定された領域を通じて送る時分割複信フレーム構成情報送受信方法及び装置を要する。
【先行技術文献】
【特許文献】
【００１２】
【特許文献１】国際公開第２０１１／０５６０４３号
【特許文献２】国際公開第２０１０／０４９５８７号
【特許文献３】米国特許出願公開第２０１０／０２３２３７３号明細書
【発明の概要】
【発明が解決しようとする課題】
【００１３】
本発明の実施形態によれば、無線通信システムのための動的時分割複信データチャネルの送信方法およびそのための装置は、基地局が共通制御チャネル領域に基地局の時分割複信システム情報を共通制御チャネルから構成して送信して時分割複信システムの構成を動的に変更する方法であって、基地局がアップリンクとダウンリンクのトラフィックの状態に適応的に対応すると共に、端末の制御チャネルの受信エラーに起因する基地局送信と端末の送信が同時に発生することで生じる干渉を防止することができる。
【課題を解決するための手段】
【００１４】
本発明の実施形態によれば、無線通信システムのための動的時分割複信データチャネルの送信方法およびそのための装置は、基地局が共通制御チャネル領域に基地局の時分割複信システム情報を共通制御チャネルから構成して送信して時分割複信システムの構成を動的に変更する方法であって、基地局がアップリンクとダウンリンクのトラフィックの状態に適応的に対応すると共に、端末の制御チャネルの受信エラーに起因する基地局送信と端末の送信が同時に発生することで生じる干渉を防止することができる。
【００１５】
本発明の一実施形態によれば、無線通信システムにおいて、基地局の時分割複信フレーム構成情報の送信方法は、動的サブフレームの送信方向を示す時分割複信フレーム構成を決定する過程と、前記時分割複信フレーム構成情報でシステム情報を生成する過程と、共通制御チャネルに前記システム情報を挿入して送信する過程を含むことを特徴とする。
【００１６】
このとき、本発明に係る送信方法において、前記生成過程は、前記システム情報を前記共通制御チャネルのダウンリンク制御情報と同じサイズで生成する。さらに、本発明に係る送信方法において、前記生成過程は、前記システム情報のためのＲＮＴＩを用いてスクランブルされたＣＲＣを前記システム情報にアタッチする過程を含む。ここで、本発明に係る送信方法において、前記生成過程は、無線通信システムにおいて複数のキャリアのための上記のキャリア別の時分割複信フレーム情報を結合して前記システム情報を生成してもよい。
【００１７】
本発明の他の実施形態によれば、無線通信システムの端末の時分割複信フレーム構成情報を受信する方法は、共通制御チャネルからシステム情報を受信する過程と、前記システム情報を分析して動的サブフレームの送信方向を示す時分割複信フレーム構成を把握する過程と、前記送信方向に応じて前記動的サブフレームを利用するプロセスと、を含むことを特徴とする。
【００１８】
このとき、本発明に係る受信方法において、前記システム情報は、上記共通制御チャネルのダウンリンク制御情報と同じサイズから成る。さらに、本発明に係る受信方法において、前記受信過程は、前記システム情報のためのＲＮＴＩを用いて前記共通制御チャネルをブラインド復調する。ここで、本発明に係る受信方法において、前記システム情報は、無線通信システムで用いる複数のキャリアのための前記のキャリア別の時分割複信フレーム情報が結合されてもよい。
【００１９】
本発明の他の実施形態によれば、無線通信システムの基地局の時分割複信フレーム構成情報送信装置は、動的サブフレームの送信方向を示す時分割複信フレーム構成を決定するためのコントローラと、前記時分割複信フレーム構成情報、システム情報を生成するためのシステム情報ジェネレータと、共通制御チャネルに前記システム情報を挿入して送信するための制御チャネルジェネレータと、を含むことを特徴とする。
【００２０】
このとき、本発明に係る送信装置において、前記システム情報ジェネレータは、前記システム情報を前記共通制御チャネルのダウンリンク制御情報と同じサイズで生成する。さらに、本発明に係る送信装置において、前記システム情報ジェネレータは、前記のシステム情報のためのＲＮＴＩを用いてスクランブルされたＣＲＣを前記システム情報にアタッチする。ここで、本発明に係る送信装置において、前記システム情報ジェネレータは、無線通信システムにおいて複数のキャリアのための前記のキャリア別の時分割複信フレーム情報を結合して前記システム情報を生成することができる。
【００２１】
本発明の他の実施形態によれば、無線通信システムにおいて、基地局の時分割複信フレーム構成情報受信装置は、共通制御チャネルからシステム情報を受信するための制御チャネルの受信機と、前記システム情報を分析して動的サブフレームの送信方向を示す時分割複信フレームの構成を把握するためのシステム情報アナライザと、前記送信方向に応じて前記動的サブフレームを用いるためのコントローラと、を含むことを特徴とする。
【００２２】
このとき、本発明に係る受信装置において、前記システム情報は、上記共通制御チャネルのダウンリンク制御情報と同じサイズからなる。さらに、本発明に係る受信装置において、前記制御チャネルの受信機は、上記のシステム情報のためのＲＮＴＩを用いて前記共通制御チャネルをブラインド復調するためのブラインド復調器を含む。ここで、本発明に係る受信装置において、前記システム情報は無線通信システムにおいて複数のキャリアの利用の時、前記キャリア別の時分割複信フレーム情報が結合されてもよい。
【発明の効果】
【００２３】
本発明の実施形態によれば、無線通信システムのための動的時分割複信データチャネルの送信方法およびそのための装置は、基地局が共通制御チャネル領域に基地局の時分割複信システム情報を共通制御チャネルから構成して送信して時分割複信システムの構成を動的に変更する方法であって、基地局がアップリンクとダウンリンクのトラフィックの状態に適応的に対応すると共に、端末の制御チャネルの受信エラーに起因する基地局送信と端末の送信が同時に発生することで生じる干渉を防止することができる。
【図面の簡単な説明】
【００２４】
【図１】本発明に実施形態による無線通信システムの概念を示す図である。
【図２】本発明に実施形態によるＴＤＤシステムのフレーム構造を示した図面である。
【図３】本発明に実施形態による一般的な制御チャネル情報構造を示した図面である。
【図４】本発明に実施形態による制御チャネルの情報構造を示した図面である。
【図５】本発明に実施形態によるＴＤＤフレーム構成情報を送信する方法を示した図である。
【図６】本発明に実施形態によるＴＤＤフレーム構成制御チャネルの受信時点と適用時点との間の関係を示した図である。
【図７】本発明に実施形態によるＴＤＤフレーム構成制御チャネルの構造を示した図面である。
【図８】本発明に実施形態によるＭＡＣ ｍｅｓｓａｇｅの構造を示す図である。
【図９】本発明の実施例に係る基地局の送信手続きを示した制御フローチャートである。
【図１０】本発明の実施形態に係る端末の受信手続きを示した制御フローチャートである。
【図１１】本発明の実施形態に係る基地局の構成を示したブロック図である。
【図１２】本発明の実施形態に係る端末の構成を示したブロック図である。
【発明を実施するための形態】
【００２５】
以下、添付した図面を参照して本発明の好ましい実施形態を詳しく説明する。この際、図面において同一構成要素には可能な限り同一符号が付されている事に留意されたい。また、本発明の要旨を不明瞭にする公知機能及び構成に関する説明は省略する。
【００２６】
また、後述する本明細書及び特許請求の範囲に使用された用語や単語は、通常であるか、或いは辞典的な意味に限定して解釈されてはいけなく、発明者は、その自らの発明を最善の方法で説明するために用語の概念に適切に定義することができるという原則に基づいて本発明の技術的思想に付合する意味と概念として解釈されるべきである。
【００２７】
以下、本明細書ではＬＴＥ（Ｌｏｎｇ Ｔｅｒｍ Ｅｖｏｌｕｔｉｏｎ)システムとＬＴＥ−Ａ（ＬＴＥ−Ａｄｖａｎｃｅｄ)ＴＤＤシステムの例を挙げて記述するが、本発明は基地局スケジューリングが適用されるその他の無線ＴＤＤ通信システムに別の加減無しに適用可能である。
【００２８】
ＬＴＥシステムは、ＯＦＤＭ方式がダウンリンクに適用された代表的なシステムであり、ＳＣ−ＦＤＭＡ(Ｓｉｎｇｌｅ Ｃａｒｒｉｅｒ−Ｆｒｅｑｕｅｎｃｙ Ｄｉｖｉｓｉｏｎ Ｍｕｌｔｉｐｌｅ Ａｃｃｅｓｓ)が適用されるシステムである。ＬＴＥシステムはＦＤＤとＴＤＤシステムの構成が可能である。ＦＤＤの場合には２つの周波数をもって、一方はダウンリンク送信のための周波数帯域に使用し、他方はアップリンク送信のための周波数帯域に使用する。ＴＤＤの場合には、一方の周波数帯域のみをもって、他方の周波数帯域を時間軸に区分して任意の時間にはダウンリンク送信をし、他の時間にはアップリンク送信をする方法である。ＴＤＤシステムの場合には一定規則に応じてアップリンクとダウンリンクが送信されるが、ＬＴＥシステムの場合、総７つの場合のＴＤＤラジオフレーム構成をもってＴＤＤラジオフレームの構成は一度システムが決定すると殆ど変わらない。ＴＤＤの場合、セルの間の互いに異なる構成を有する場合、干渉によって送受信がならないので、一定地域の全てのセルは同一のＴＤＤ構成をもって同期化されて同一の時間にアップリンクとダウンリンク送信がなる。
【００２９】
ＬＴＥ ＴＤＤやＦＤＤシステムのサブフレームは、共に時間軸へ１ｍｓの長さと周波数軸に全体ＬＴＥ送信帯域幅(Ｂａｎｄｗｉｄｔｈ；ＢＷ)をもって、時間軸に応じて２つのスロットに区分される。ＬＴＥ送信帯域幅は複数個のリソースブロック(Ｒｅｓｏｕｒｃｅ Ｂｌｏｃｋ；以下、「ＲＢ」)からなり、各ＲＢはリソース割り当ての基本単位として使用される。各ＲＢは、周波数軸に配列された１２個のトーンと時間軸に配列された１４個のＯＦＤＭシンボルから構成されてもよい。このようなサブフレームは制御信号を送信するための制御チャンネル領域、データを送信するためのデータチャンネル領域を含み、制御チャンネル領域及びデータチャンネル領域にチャンネル推定のための基準信号(Ｒｅｆｅｒｅｎｃｅ Ｓｉｇｎａｌ;以下、「ＲＳ」)が挿入される。
【００３０】
最近には、ＬＴＥシステムが進化されたＬＴＥ−Ａシステムの開発研究が進行しつつある。ＬＴＥ−Ａシステムは、進化されたシステムでＴＤＤシステムの場合、前述したように一応ＴＤＤラジオフレーム構成が決定されると殆ど変わることができないから動的にデータ量に対応できない。即ち、一定時間の間の多い量のアップリンクが発生しても使用しないダウンリンクサブフレームをアップリンク送信に使用できない。このような問題を解消する研究が進行しつつある。このような問題はセルが階層的に構成された環境で容易に発生するのに図１を参照して説明する。
【００３１】
図１は、本発明の一実施形態による無線通信システムの概念を示した図面である。このとき、無線通信システムはマクロセルとピコセルが同一領域に階層的に配置された環境を有する。
【００３２】
図１を参照して説明すれば、１０１はマクロセルを意味し、１０２はピコセルを意味する。ピコセルの場合、一般的にマクロ対比少ない電力に送信してマクロセルでデータトラフィックの要求量が多い地域に設置する。データトラフィックの要求量の多い地域はデータトラフィックの要求が時間によって動的に変わることを意味する。例えば、複数のユーザがダウンリンクデータ受信とＶｏＩＰ（ｖｏｉｃｅ−ｏｖｅｒ ＩＰ)送受信をする場合、端末はダウンリンクから多くのデータを受信すべきであると共に一定量のデータをアップリンクへ送信しなければならない。従って、システムは大部分のサブフレームをダウンリンクに使用して相対的に少ない量のサブフレームをアップリンク送信に利用するようにＴＤＤラジオフレームを構成する。しかし、一定瞬間に端末は基地局へ多くのデータを送信したりＶｏＩＰアップリンク信号が集中される場合、瞬間的にアップリンクで多くの量のリソースを要求するのに一般的なシステム構成ではこのような要求を反映することができない。
【００３３】
図２は、本発明の一実施形態によるＴＤＤシステムでフレーム構造を示した図面である。
【００３４】
図２を参照して説明すれば、一つのラジオフレーム２０１は１０ｍｓｅｃの時間間隔をもって２個のハーフラジオフレーム２０２から構成される。また、一つのハーフラジオフレーム２０２は５個のサブフレーム２０３で分けられる。従って、一つのラジオフレームは総１０個のサブフレーム２０３をもって、一つのサブフレーム２０３は１ｍｓｅｃの間隔を有する。それぞれの１０個のサブフレーム２０３は、ＬＴＥでサポートする総７つのＴＤＤ構成に応じて互いに異なるサブフレーム２０３として使用され、それぞれは表１の通りである。
【００３５】
表１を参照して、例えば、０番構成の場合、０番、５番サブフレームインデックスは「Ｄ」と表記されてダウンリンク送信に使用され、２番、３番、４番、７番、８番、及び９番サブフレームインデックスは「Ｕ」と表記されてアップリンク送信に使用される。１番と６番サブフレームインデックスは「Ｓ」と表記されて特別サブフレームに使用される。特別サブフレームは、２０４のように構成されるが、総３個の領域に分離される。それぞれのＤｗＰＴＳ、ＧＰ、ＵｐＰＴＳ領域であり、ＤｗＰＴＳは、ダウンリンク制御チャンネルとデータチャンネルが送信され、ＧＰは何も送信しない領域であり、ＵｐＰＴＳはアップリンク信号を送信する領域である。特別サブフレームは、アップリンク領域が小さいからランダムアクセスシグナル(Ｐｈｙｓｉｃａｌ ｒａｎｄｏｍ ａｃｃｅｓｓ ｃｈａｎｎｅｌ、以下「ＰＲＡＣＨ」)とＳｏｕｎｄｉｎｇ ｒｅｆｅｒｅｎｃｅ ｓｉｇｎａｌ(以下、「ＳＲＳ」)送信にだけ使用されてデータや制御チャンネルは送信されない。ＧＰは、ｇｕａｒｄ ｐｅｒｉｏｄ領域であり、この領域は基地局がダウンリンク信号を送信しつつ、アップリンク信号を受信するために必要な時間を保障するためのものである。
【００３６】
【表１】
2018074606.tif 000003
【００３７】
全体ＴＤＤ構成情報を説明すると、ＴＤＤ構成に関係せず常に同一の送信をするサブフレームがある。０番、１番、２番、５番、６番、７番サブフレームは、全てのＴＤＤ構成に関係せず常に同一のサブフレーム構成を有する。一方、残りサブフレームの場合には構成によって互いに異なるサブフレーム構成を有してもよい。一般的なＬＴＥシステムでは一度ＴＤＤラジオフレームが構成されると、データトラフィックの量に応じて変更されなく、隣接セルのＴＤＤ干渉を無視して、変更されても最小限８０ｍｓｅｃ以上の時間が所要となる。８０ｍｓｅｃの時間は、端末が基地局が送信したシステムの変更情報を読み、全体システムの情報をアップデートするのにかかる時間であり、端末の受信エラー無し完全に送信されたときの時間であり、実際には１００ｍｓｅｃで数秒の時間がかかることができる。従って、動的変更方法が必要であり、現在のＴＤＤサブフレームで動的に変更が可能なサブフレーム、即ち、動的サブフレームは、３番、４番、8番、９番または３番と４番のサブフレームインデックスに該当する。
【００３８】
特定のサブフレームについての送信方向を変えるためには、定められた時点で端末に該当するサブフレームが任意の方向に使用されることを通知しなければならない。一般的に、ダウンリンク送信の場合、制御チャネルを送信するサブフレームとその制御チャネルにスケジューリングされるデータチャネルが同じサブフレームから送信される。従って、任意のサブフレームがダウンリンクへ送信されるか通知するためには、当該サブフレームでダウンリンクのスケジューリングを送信する。一方、アップリンク送信の場合、アップリンクスケジューリング制御チャネルを受信し、端末がデータチャネルを送信するまでには少なくとも4つのサブフレームの時間が必要である。従って、任意のサブフレームをアップリンク送信に使用するためには少なくとも4つのサブフレーム以前に表すダウンリンクの制御チャネルにアップリンクのスケジューリング制御チャネルを送信する。従って、任意のサブフレームの送信方向をスケジューリングする制御チャネルの種類と送信された制御チャネルが適用されるサブフレームの位置だけが決定されている変更が可能である。
【００３９】
しかし、スケジュールを用いてサブフレームの方向を転換した場合、問題が発生することができる。スケジューリングされない端末の場合、端末は、継続的に制御チャネルを復調するために、毎ダウンリンクサブフレームで制御チャネル復調を試みるが、実際には制御チャネルがなくても端末は、自らの制御チャネルがあると受信が可能であり、このような確率は非常に大きい。従って、これらの問題が発生した場合、基地局の送信と端末の送信が同時に発生する場合が生じ、基地局と端末の送受信性能の領域を与え、データチャネルの復調が不可能になるという問題が発生する。
【００４０】
従って、提案する方法は、制御チャネルのシステム情報を伝達する方法で、全ての端末がＴＤＤの構成が変更され、サブフレームの方向を認識できるようにして、リンクが干渉を発生させず、また、システム情報の変更より早くシステムを変更して適応的にシステムを操作するようにするものである。
【００４１】
図３は、本発明の一実施形態による制御チャネル情報の構造を図示したものである。
図３を参照して説明すると、一般的な制御チャネルは、共通制御チャネルと端末専用制御チャネルに関係せず、基本的な構造を有する。制御チャネル情報の基本的な構造は、優３０１のようにダウンリンク制御情報領域と３０２のように、ＣＲＣ領域に区分される。３０１の領域は、実際の制御チャネルの情報領域であり、３０２はエラーｄｅｔｅｃｔｉｏｎをするためのシーケンスである３０１の制御チャネル情報は、大きくて３０３のリソースの割り当て情報、３０４のチャネルコーディング情報、及び３０５のその他の情報を含む。制御チャネル情報は、共通制御チャネルの場合には、３０３と３０４の情報を用いてデータチャネル領域へ行って、その領域を受信し、受信した情報からシステム情報を受信する過程を経て、この時、３０２のＣＲＣは、セルで指定された専用ＣＲＣを使用して全ての端末が同一ＲＮＴＩでＣＲＣをスクランブルして、全て同一ＣＲＣで受信できるようになっている。若し、図３の制御チャネルが端末専用制御チャネルとして使用される場合には、図３０３のリソースの割り当て情報と３０４のコーディング情報を用いてデータチャネルを受信し、データチャネルを復調してデータチャネルを受信する。このとき、３０６はセルが端末別に割り当てたＲＮＴＩをＣＲＣにスクランブルして端末間で区別できるようにする。上述したように一般的な制御チャネルは、共通制御チャネル、或いは端末専用制御チャネルに関係せず送信される情報は、データチャネルを受信するための情報であり、実際の送信する情報は、データチャネルに送信される。従って、一般的な方法で変更されたＴＤＤの構成情報を伝達するためには、基地局は、共通制御チャネルへデータチャネルをスケジューリングして、全て端末はデータチャネルを復調してシステム情報を取得する過程を経る。
【００４２】
図４は、本発明の実施形態による制御チャネル情報の構造を図示したものである。このとき、本発明で共通制御チャネルのＴＤＤフレーム構成情報を含むシステム情報を挿入して送信する方法を提供する。
【００４３】
図4を参照して説明すると、提案する新たな共通制御チャネルの構造であり、一般的な制御チャネルの情報とは異なり実際のシステム情報を制御チャネル情報領域に送信する方法である。提供する共通制御チャネルは、４０１のシステム情報の部分と４０２のＣＲＣから構成される。４０１のシステム情報の部分は、ＴＤＤシステムの情報が含む部分４０３とｒｅｓｅｒｖｅｄの部分４０４から成る。４０１のシステム情報のサイズは、一般的な制御情報のサイズ、即ち、３０１と同じサイズからなる。若し、４０３の情報が、３０１よりも小さい場合、４０４の予約ビット（ｒｅｓｅｒｖｅｄ ｂｉｔ）を挿入して、４０１のシステム情報のサイズが、４０６のように他の共通制御チャネルと同じように維持する。これは、４０１のシステム情報のサイズを他の共通制御チャネルのサイズと同じに維持すると、端末でブラインド復調時に端末が追加的な復調を試みなく、ＣＲＣだけを確認して、制御チャネルを復調することができるためである。ＬＴＥシステムでは、共通制御チャネルを送信するフォーマットは１ｃフォーマットであり、よって、提案する共通制御チャネルのサイズは、フォーマット１ｃと同じサイズを有するように構成する。４０２のＣＲＣは、他の制御チャネルとの区別のために、新しいＲＮＴＩを使用しなければならない。一般的なＬＴＥシステムで表２のようにＲＮＴＩが使用される。
【００４４】
【表２】
2018074606.tif 000004
【００４５】
共通制御チャネル送信のためのフォーマット１ｃの場合は、表２のＭ-ＲＮＴＩ、Ｐ-ＲＮＴＩ、ＳＩ−ＲＮＴＩを使用しており、提供するＲＮＴＩは、ＴＤ−ＲＮＴＩでＴＤＤ構成のシステム情報を伝達するためのＲＮＴＩでＦＦＦ４〜ＦＦＦＣの領域中の１つを使用する。好ましい実施形態として提供するＲＮＴＩはＦＦＦＣを用い、表３の通りである。
【００４６】
【表３】
2018074606.tif 000005
【００４７】
本発明で上述した新しい制御チャネルの構成方法および送信方法には、ＴＤＤシステムの構成情報を送信することだけでなく、システムの情報をデータチャネルを経ず直接端末に伝達する制御チャネルを共に含む。
【００４８】
４０３のＴＤＤ構成は以下の好ましい実施形態を介して端末にサブフレームの送信方向を伝達する。先ず、表４は２ビットを用いて指示する実施形態である。上述のように、サブフレームのインデックス３、４、或いは８、９に限って他のＴＤＤ構成と異なるのでこの変更部分だけを指示する方法である。例えば、情報が００である場合は、３番、４番サブフレーム若しくは８番、０番サブフレームの共にアップリンクへ送信されることを意味する。本発明の実施形態による情報ｆｉｅｌｄは、表で定義されたものｉｎｖｅｒｓｅ ｂｉｔと構成した場合にも同様に適用される。一つの制御チャネルに最大２つのサブフレームを指示するために５ｍｓｅｃの周期、或いはその倍数の周期で送信、或いは変更可能なシステム構成で使用することができる。
【００４９】
【表４】
2018074606.tif 000006
【００５０】
表５は、アップリンクサブフレームをダウンリンクに変更されたことを通知する実施形態である。表５でｃｏｎｆｉｇｕｒａｔｉｏｎは（ｃｏｎｆｉｇｕｒａｔｉｏｎ／ｓｌｏｔ）から構成されており、若し、０／１の場合、ＴＤＤ ｃｏｎｆｉｇｕｒａｔｉｏｎ１とｏｄｄ ｓｌｏｔに該当する。Ｓｌｏｔが２の場合は、ｅｖｅｎ ｓｌｏｔを意味する。従って、受信された制御チャネルが、表５のｃｏｎｆｉｇｕｒａｔｉｏｎの場所に適用すべき場合は、ｉｎｆｏｒｍａｔｉｏｎ ｆｉｅｌｄは、表５のように解釈される。この場合、ｃｏｎｆｉｇｕｒａｔｉｏｎに基づいて、アップリンクの個数が相違するので、表５のように、異なるｂｉｔ ｆｉｅｌｄを有し、現在の設定情報に基づいて端末はその構成のビット長さを認知する。
【００５１】
【表５】
2018074606.tif 000007
【００５２】
表６は、ダウンリンクのサブフレームがアップリンクサブフレームに変更された指示する実施形態である。表５と同様にｃｏｎｆｉｇｕｒａｔｉｏｎはＴＤＤの構成と当該ｓｌｏｔから構成され、受信されたｃｏｎｆｉｇｕｒａｔｉｏｎのｓｌｏｔの位置に応じて、サブフレームの方向を指示する方法である。
【００５３】
【表６】
2018074606.tif 000008
【００５４】
表７は、４ビットを用いてサブフレームの方向の指示する方法である。４ビットを用いる場合は、１０ｍｓｅｃの周期、或いはその倍数の周期で送信されたり、変更されるＴＤＤシステムで送信できる実施形態である。
【００５５】
【表７】
2018074606.tif 000009
【００５６】
一つのｉｎｆｏｒｍａｔｉｏｎ ｆｉｅｌｄのｉｎｆｏｒｍａｔｉｏｎは、表７のように、各ｓｕｂ ｆｒａｍｅのｄｉｒｅｃｔｉｏｎを指示した場合、総ｉｎｆｏｒｍａｔｉｏｎ ｆｉｅｌｄの長さは、表７の情報が２回含まれて合計８ビットで、１つのラジオフレームで０番と５番を除いて総８つのサブフレームのｄｉｒｅｃｔｉｏｎを指示することができる。この場合にｒｅｃｏｎｆｉｇｕｒａｔｉｏｎは１０ｍｓｅｃ単位から構成される。
【００５７】
表８は、３ビット用いて指示する方法で、サブフレームの方向を指示する方法ではなく、直接ＴＤＤ ｃｏｎｆｉｇｕｒａｔｉｏｎ ｉｎｄｅｘを指示する方法である。それぞれのｆｉｅｌｄは、一つのＴＤＤ ｃｏｎｆｉｇｕｒａｔｉｏｎを意味し、表４〜７と同様に、サブフレームの方向に解釈する場合は、表８のｅｑｕｉｖａｌｅｎｔ ｓｕｂｆｒａｍｅ ｄｉｒｅｃｔｉｏｎのＤ０、１、２、３のそれと同じように解釈する実施形態である。
【００５８】
【表８】
2018074606.tif 000010
【００５９】
図５は、本発明の実施形態によるＴＤＤ構成情報を含む制御チャネルを送信する方法を図示したものである。
【００６０】
図５を参照して説明すると、ＴＤＤの設定を変更する場合は、サブフレームの３、４、８、９の場合は、ダウンリンクとアップリンク間の変換が隨時に変更されるため、共通制御チャネルを送信するのに適合しない。従って、残りのサブフレームのうちでダウンリンク制御チャネル送信が可能な０、１、５、６番から送信すべきであり、５ｍｓeｃ周期の送信をする場合、５１１の５０１と５０２のように、０番と５番のサブフレームに端末が提案する制御チャネルを受信する。限定された共通制御チャネルのリソースに他の制御チャネルとの間の送信を確保するために５２１の５０３と５０４のように、１番と６番のサブフレームに限定して送信することも可能である。他の例として５３１の５０５、５０６、５０７及び５０８のように０番、１番、５番、６番の候補領域を予め設定し、当該領域で新たな制御チャネルを受信を試みるようにする例も可能である。他の方法で送信される周期とｏｆｆｓｅｔを設定して５０５、５０６、５０７と５０８のいずれかの１つ領域のみ受信するようにする。もし周期が１０ｍｓｅｃであり、ｏｆｆｓｅｔが３の場合も、５４１のように、一般的に可能な４つのサブフレームのうちでも、５０８に該当する５１０のサブフレームで送信が可能である。
【００６１】
図６は、本発明の実施形態による新しい制御チャネルの送信と制御チャネルを介して変更され、新しいサブフレームの方向が適用される時点の間の関係を図示したものである。
【００６２】
図６を参照して説明すると、６０１は６０４に該当する０番と１番のサブフレームからの変更指示を受けた場合、適用はダウンリンクとアップリンク方向の両方１ｓｌｏｔ後に送信される方法である。端末がＴＤＤの変更を受信した後に、実際のスケジューリングされた時間を考慮したものである。即ち、サブフレームの変更のための指示がなると、少なくとも４つのサブフレームの後の動的サブフレームからダウンリンクとアップリンク間の送信方向変換が適用される。
【００６３】
他の例として６０２のように、ダウンリンクは、受信されたｓｌｏｔから直ちに適用し、アップリンクは１ｓｌｏｔの後に適用する方法である。アップリンクの場合、上述のように、スケジューリングを受信するために、少なくとも4つのサブフレームの時間が必要であるので、アップリンクで変更された場合には、１ｓｌｏｔ以後に適用され、ダウンリンクの場合には、スケジューリングのための時間を必要としないので、直ちに適用が可能である。即ち、サブフレームの変更のための指示がなると、隣接する動的サブフレームからダウンリンクからアップリンクで送信方向の変更が適用され、少なくとも４つのサブフレーム以後の動的サブフレームからアップリンクからダウンリンクで送信方向の変換が適用される。
【００６４】
他の例として６０３のように０番または５番のサブフレームに変更情報を送信する場合は、少なくとも４つのサブフレームを保障する場合、６１０のようなｓｌｏｔの最後のサブフレームからはアップリンクにも適用することができるので、適用時点が最大限速くすることができる。従って、最後の例では、可能な限り迅速に適用が可能な例である。即ち、サブフレームの変更のための指示がなれば、４つのサブフレーム内の動的サブフレームからダウンリンクからアップリンクから送信方向の変更が適用され、４つのサブフレーム以後の動的サブフレームからアップリンクへダウンリンクへ送信方向変換が適用される。
【００６５】
図７は、本発明に実施形態によるシステム情報の指示のための制御チャネルを構成する場合は、複数のセルのＴＤＤ構成情報をアグリゲーションする方法を図示したものである。
【００６６】
図７を参照して説明すると、一つのセルから別のセルのＴＤＤの変更を指示する方法である。端末は、複数のキャリアを使用するが、それぞれのキャリアは別のセルに扱う。また、それぞれのセルは、周波数の間に十分な距離がある場合は、異なるＴＤＤの構成を有することができ、従って、１つのキャリアが構成を変更する場合は、他のキャリアも変更が可能である。しかし、動的に構成情報を取得するために１つのセルから他のセルの構成情報を送信することが必要であり、７０１は一般的なシステム情報の部分であり、この部分に７０３から７０５までの複数個のセルのＴＤＤの変更情報が連接され、システムが構成したセルの順序に応じて順に連接する。この場合も、上述の場合と同様に全体情報のサイズは、一般的な共通制御チャネルの全体情報サイズと同じであるべきで、本発明では、７０７ようにＬＴＥシステムのフォーマット１ｃと同様に構成する。７０６と７０２は図4と同様に構成する。
【００６７】
本発明が提供する他の実施例として、基地局は、端末に送信するデータチャネルのＭＡＣ ｈｅａｄｅｒにＴＤＤの構成情報を含んで送信することができる。例えば、基地局がデータチャネルをスケジューリングするにおいて、前記記述されたｉｎｆｏｒｍａｔｉｏｎ ｆｉｅｌｄをＭＡＣ ｈｅａｄｅｒに追加して送信することができ、そのデータチャンネルが成功的に受信された場合、端末は、新しいｃｏｎｆｉｇｕｒａｔｉｏｎやｓｕｂｆｒａｍｅ ｄｉｒｅｃｔｉｏｎを認知することができる。
【００６８】
ＴＤＤ ｃｏｎｆｉｇｕｒａｔｉｏｎ情報を指示するＭＡＣ ｈｅａｄｅｒは、基地局が端末に送信されるデータのチャネルだけでなく、追加で端末が基地局に送信するデータチャネルに含まれることもできる。従って、基地局は、端末から現在のＴＤＤ ｃｏｎｆｉｇｕｒａｔｉｏｎ情報をｆｅｅｄｂａｃｋされることができる。これは、共通制御チャネルにも、全て端末に成功的に受信されたが確認し難い短所を補うためのものであり、基地局は、端末に成功的に新しいＴＤＤ ｃｏｎｆｉｇｕｒａｔｉｏｎが適用されたかを確認する目的で、上記の方法を使用することができる。
【００６９】
図８は、本発明の実施形態によるＭＡＣ ｍｅｓｓａｇｅ構造を示した図である。
図８を参照して説明すると、一般的なデータチャネルのＭＡＣ ｍｅｓｓａｇｅは、図８のように構成され、８０１のように、最初にＭＡＣ ｈｅａｄｅｒが存在する。これらのＭＡＣ ｈｅａｄｅｒは、８０９のように、複数のｓｕｂ−ｈｅａｄｅｒから構成される。一つのＳｕｂ−ｈｅａｄｅｒは８１１、８１３、８１５のような情報を有しているが、Ｒはｒｅｓｅｒｖｅｄを意味し、Ｅはｅｘｔｅｎｓｉｏｎ ｆｉｅｌｄを意味し、ＬＣＩＤはｓｕｂ−ｈｅａｄｅｒの種類を区別するためにｉｎｄｉｃａｔｏｒである。ＬＣＩＤは、ｕｐｌｉｎｋとｄｏｗｎｌｉｎｋが互い異なると、合計５つのビットから構成される。
【００７０】
ＭＡＣ ｈｅａｄｅｒ８０１が出た後にＭＡＣ ｈｅａｄｅｒに存在するｓｕｂ−ｈｅａｄｅｒ８０９の順と個数に応じて関連するＭＡＣ ｃｏｎｔｒｏｌ ｅｌｅｍｅｎｔ８０３が存在し、ＭＡＣ ｃｏｎｔｒｏｌ ｅｌｅｍｅｎｔの後には８０５のように、ＭＡＣ ＳＤＵとｐａｄｄｉｎｇ８０７が存在する。ＭＡＣ ｍｅｓｓａｇｅは、ＭＡＣへ送信される情報をｓｕｂ−ｈｅａｄｅｒに含み、それぞれに対するＭＡＣ情報をＭＡＣ ｃｏｎｔｒｏｌ ｅｌｅｍｅｎｔに含まれて送信される。従って、提案する実施形態のように、ＴＤＤ ｒｅｃｏｎｆｉｇｕｒａｔｉｏｎのためのｉｎｆｏｒｍａｔｉｏｎもＭＡＣ ｈｅａｄｅｒを介して端末に送信することができ、これは、表９のようにＬＣＩＤ ｆｉｅｌｄを利用することができる。表９は、ＬＣＩＤで１１０１０を用いた例である。
【００７１】
【表９】
2018074606.tif 000011
【００７２】
若し、基地局が端末が現在使用しているＴＤＤ ｒｅｃｏｎｆｉｇｕｒａｔｉｏｎ情報が必要な場合には、端末は、基地局に現在使用しているＴＤＤ ｒｅｃｏｎｆｉｇｕｒａｔｉｏｎ情報をＭＡＣ ｍｅｓｓａｇｅを介して送信することができる。このとき、端末は、表１０のようにアップリンクのためのＬＣＩＤを利用して区別することができる。表１０は１１０００を使用してＬＣＩＤを区別する例を示す。
【００７３】
【表１０】
2018074606.tif 000012
【００７４】
図８の示したように、提案するＭＡＣ ｈｅａｄｅｒを用いた方法でＭＡＣ ｃｏｎｔｒｏｌ ｅｌｅｍｅｎｔは、８１７のように１ｂｙｔｅの長さで図示することができ、これにより上述の４０３ｎｆｏｒｍａｔｉｏｎ ｆｉｅｌｄを送信することができる。これは、８１９の例のように、サブフレーム１、２、３、４、６、７、８、９のｄｉｒｅｃｔｉｏｎを８ビットに含まれて送信できることを意味する。
【００７５】
図９は、本発明の実施例に係る基地局の動作を示すフローチャートである。
図９を参照して説明すると、ステップ９０２で基地局は、システム情報でＴＤＤフレーム構成情報を端末に送信する。以後の段階９０３で、基地局は変更しようとするＴＤＤ構成を提案する制御チャネルのシステム情報の部分に構成し、他の共通制御チャネルと同じ情報ビットを有するように作る。以来、９０４段階で基地局はその情報をＴＤ−ＲＮＴＩを用いてスクランブルされたＣＲＣを加える。以後の段階９０５で、基地局は定められた周期とｏｆｆｓｅｔ或いは定められたサブフレームの位置の共通制御チャネル領域から割り当てて送信する。ステップ９０６で提案する制御チャネル送信時点と、これを適用するタイミングを考慮し、基地局はサブフレームの方向を転換し、転換された方向に合わせてダウンリンクのデータ送信処理とアップリンクプロセスを構成して端末にスケジューリング情報を伝達し、データチャネルを送信したり端末のデータチャネルを受信する。
【００７６】
即ち、基地局は、ＴＤＤフレームの構成を決定する。このとき、基地局はトラフィックの量に応じてＴＤＤフレームで動的サブフレームの送信方向を決定する。以後、基地局はＴＤＤフレーム構成情報でシステム情報を生成する。このとき、基地局はシステム情報を共通制御チャネルのダウンリンク制御情報と同じサイズで生成する。このため、ＴＤＤフレーム構成情報のサイズがダウンリンク制御情報のサイズ未満であれば、基地局はシステム情報の予約ビットを挿入する。即ち、基地局はＴＤＤフレーム構成情報とダウンリンク制御情報との差の値に相当する個数の予約ビットを挿入する。さらに、基地局はシステム情報のためのＲＮＴＩ、即ち、ＴＤ−ＲＮＴＩを用いてスクランブルされたＣＲＣをシステム情報にアタッチする。ここで、基地局は無線通信システムで複数個のキャリアのためのキャリア別ＴＤＤフレーム構成情報を結合してシステム情報を生成することができる。次に、基地局は共通制御チャネルのシステム情報を挿入して送信する。これにより、基地局はＴＤＤフレームの構成に応じて端末と通信を実行する。
【００７７】
図１０は、本発明の実施例に係る端末の送信過程を示すフローチャートである。
図１０を参照して説明すると、端末は段階１００２で基地局からシステム情報にＴＤＤフレーム構成情報をシステム情報から受信する。よって、端末はステップ１００３で定められた周期とｏｆｆｓｅｔ、或いは定められたサブフレームの共通制御チャネル領域でＴＤ−ＲＮＴＩを用いてブラインド復調を試みる。端末はステップ１００４で成功的に復調をして、受信した情報を用いてＴＤＤの構成情報を把握する。端末は、段階１００５で受信時点と定められた適用時点を考慮して、制御チャネルとデータチャネルを受信したり、或いはアップリンクデータチャンネル送信する。
【００７８】
即ち、端末は共通制御チャネルでシステム情報を受信する。このため、端末はシステム情報のためのＲＮＴＩ、即ち、ＴＤ−ＲＮＴＩを用いて共通制御チャネルをブライド復調する。このとき、システム情報は共通制御チャネルのダウンリンク制御情報と同じサイズからなる。ここで、システム情報は、無線通信システムで利用する複数のキャリアのためのキャリア別ＴＤＤフレームの構成情報が結合されてもよい。この後、端末はシステム情報を分析してＴＤＤフレームの構成を把握する。このとき、端末はＴＤＤフレームの動的サブフレームの送信方向を決定する。次に、端末はＴＤＤフレームの構成に応じて基地局と通信を実行する。このとき、端末は動的サブフレームをそれぞれの送信方向に応じて使用する。
【００７９】
図１１は、本発明の実施例に係る基地局のブロック構成図である。
図１１を参照して説明すると、基地局はＴＤＤ ＲＦ装置１１０１、動的ＴＤＤ変換器１１０２、送信ハンドラ１１０３、受信ハンドラ１１０４、コントローラ１１０５、制御チャネルジェネレータ１１０６、システム情報Ａｔｔａｃｈｅｒ１１０７、システム情報ジェネレータ１１０８、制御情報ジェネレータ１１０９及び制御情報Ａｔｔａｃｈｅｒ１１１０を含む。
【００８０】
ＴＤＤ ＲＦ装置１１０１は、基地局の無線通信機能を実行する。即ち、ＴＤＤ ＲＦ装置１１０１は、アップリンクまたはダウンリンクで動作する。動的ＴＤＤ変換器１１０２はＴＤＤ ＲＦ装置１１０１を運営する。即ち、動的ＴＤＤ変換器１１０２は、定められた時間に基づいて、アップリンクとダウンリンクの間の動作の変換を実行する。送信ハンドラ１１０３は、ダウンインクで送信するための信号を処理する。受信ハンドラ１１０４は、アップリンクで受信された信号を処理する。コントローラ１１０５は、ＴＤＤフレーム構成情報を決定する。即ち、コントローラ１１０５は、動的サブフレームの送信方向、即ち、動的サブフレームをアップリンクまたはダウンリンクのいずれか１つに決定する。さらに、コントローラ１１０５は、ＴＤＤフレーム構成に応じて無線通信を制御する。即ち、コントローラ１１０５は、ＴＤＤフレームで動的サブフレームのアップリンクとダウンリンク間の動作に変換するかどうかを決定する。また、コントローラ１１０５は、動的サブフレームでアップリンクとダウンリンクの間の動作の変換を制御する。
【００８１】
一方、システム情報ジェネレータ１１０８は、ＴＤＤフレーム構成情報でシステム情報を生成する。このとき、システム情報ジェネレータ１１０８は、システム情報を共通制御チャネルのダウンリンク制御情報と同じサイズで生成する。ここで、システム情報ジェネレータ１１０８は、無線通信システムでは複数個のキャリアのためのキャリア別ＴＤＤフレームを生成して結合し、システム情報を生成することができる。システム情報Ａｔｔａｃｈｅｒ１１０７は、ＴＤ−ＲＮＴＩを用いてスクランブルされたＣＲＣをシステム情報にアタッチする。制御情報ジェネレータ１１０９は、ダウンリンク制御情報を生成する。制御情報Ａｔｔａｃｈｅｒ１１１０は、ＲＮＴＩを用いてスクランブルされたＣＲＣをダウンリンク制御情報にアタッチする。制御チャネルジェネレータ１１０６は、システム情報とダウンリンク制御情報として制御チャネルを構成する。即ち、制御チャネルジェネレータ１１０６は、共通制御チャネルのシステム情報とダウンリンク制御情報を挿入して送信する。
【００８２】
図１２は、本発明の実施例に係る端末のブロック構成図である。
図１２を参照して説明すると、端末は、制御チャネルの受信機１２０１、ブラインド復調器１２０２、システム情報アナライザ１２０３、制御情報アナライザ１２１０、ＲＮＴＩメモリー１２０４、コントローラ１２０５、１つのＴＤＤ ＲＦ装置１２０６、動的ＴＤＤ変換器１２０７、送信ハンドラ１２０８及び受信ハンドラ１２０９を含む
【００８３】
ＴＤＤ ＲＦ装置１２０６は、端末の無線通信機能を実行する。即ち、ＴＤＤ ＲＦ装置１２０６は、アップリンクまたはダウンリンクで動作する。動的ＴＤＤ変換器１２０７は、ＴＤＤ ＲＦ装置１２０６を運営する。即ち、動的ＴＤＤ変換器１２０７、定められた時間に基づいてアップリンクとダウンリンクの間の動作の変換を実行する。送信ハンドラ１２０８は、アップリンクで送信するための信号を処理する。受信ハンドラ１２０９は、ダウンリンクから受信された信号を処理する。コントローラ１２０５は、ＴＤＤフレームの構成情報に基づいて定められた時間に応じて、アップリンクとダウンリンク間の動作に変換するかどうかを把握する。即ち、コントローラ１２０５は、動的サブフレームの送信方向、即ち、動的サブフレームをアップリンクまたはダウンリンクのいずれか１つに決定する。さらに、コントローラ１２０５は、ＴＤＤフレーム構成に応じて無線通信を制御する。即ち、コントローラ１１０５は、動的サブフレームでアップリンクとダウンリンクの間の動作の変換を制御する。
【００８４】
一方、制御チャネルの受信機１２０１は、制御チャネルを受信する。ブラインド復調器１２０２は、ＲＮＴＩで制御チャネルをブラインド復調して、共通制御チャネルと端末専用制御チャネルを受信する。ＲＮＴＩメモリー１２０４は、ＲＮＴＩを記憶する。このとき、ブラインド復調器１２０２は、共通制御チャネルでＴＤ−ＲＮＴＩを介して共通制御チャネルでシステム情報を受信して、一般的なＲＮＴＩを介して共通制御チャネルでダウンリンク制御情報を受信する。このとき、システム情報は、ダウンリンク制御情報と同じサイズからなる。システム情報アナライザ１２０３は、システム情報を分析してＴＤＤフレームの構成を把握する。このとき、システム情報アナライザ１２０３は、動的サブフレームの送信方向、即ち、アップリンクまたはダウンリンクのいずれか１つを決定する。制御情報アナライザ１２１０は、ダウンリンク制御情報を分析してスケジューリング情報を把握する。
【００８５】
なお、本明細書及び図面に開示された本発明の実施形態は、本発明の技術内容を簡単に説明し、本発明の理解を助けるための具体的な例を提示したものであって、本発明の範囲を限定するものではない。即ち、本発明の技術的思想に基づいた他の変形例が実施可能であることは、本発明が属する技術分野における通常の知識を有する者に自明であろう。
【符号の説明】
【００８６】
１０１  マクロセル
１０２  ピコセル
１１０１  ＴＤＤ ＲＦ装置
１１０２  動的ＴＤＤ変換器
１１０３  送信ハンドラ１１０３
１１０４  受信ハンドラ
１１０５  コントローラ
１１０６  制御チャネルジェネレータ
１１０７  システム情報Ａｔｔａｃｈｅｒ
１１０８  システム情報ジェネレータ１１０８
１１０９  制御情報ジェネレータ
１１１０  制御情報Ａｔｔａｃｈｅｒ１１１０
【図１】
2018074606.tif 000013
【図２】
2018074606.tif 000014
【図３】
2018074606.tif 000015
【図４】
2018074606.tif 000016
【図５】
2018074606.tif 000017
【図６】
2018074606.tif 000018
【図７】
2018074606.tif 000019
【図８】
2018074606.tif 000020
【図９】
2018074606.tif 000021
【図１０】
2018074606.tif 000022
【図１１】
2018074606.tif 000023
【図１２】
2018074606.tif 000024
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
無線通信システムにおいて、基地局のＴＤＤ（Ｔｉｍｅ  Ｄｉｖｉｓｉｏｎ  Ｄｕｐｌｅｘ）設定情報送信方法であって、
前記ＴＤＤ設定情報を含むダウンリンク制御情報（ＤＣＩ：Ｄｏｗｎｌｉｎｋ  Ｃｏｎｔｒｏｌ  Ｉｎｆｏｒｍａｔｉｏｎ）の周期を含む設定情報を送信する過程と、
前記ＴＤＤ設定情報のためのＲＮＴＩ（ｒａｄｉｏ  ｎｅｔｗｏｒｋ  ｔｅｍｐｏｒａｒｙ  ｉｄｅｎｔｉｆｉｅｒ）を識別する過程と、
前記ＴＤＤ設定情報を含む前記ＤＣＩを取得する過程と、
前記ＲＮＴＩでスクランブリングされたＣＲＣ（ｃｙｃｌｉｃ  ｒｅｄｕｎｄａｎｃｙ  ｃｈｅｃｋ）シーケンスを前記ＤＣＩに添付する過程と、
前記ＣＲＣシーケンスが添付された前記ＤＣＩを制御チャンネルを介して送信する過程と、を含み、
前記ＴＤＤ設定情報は、ダウンリンクサブフレーム、アップリンクサブフレーム及びスペシャルサブフレームを含むラジオフレームを指示する送信方法。
【請求項２】
前記ＤＣＩは、複数のアップリンク／ダウンリンク設定のうちのいずれか１つを指示する３ビット（ｂｉｔ）情報を含むことを特徴とする、請求項１に記載の送信方法。
【請求項３】
前記ＤＣＩのサイズは、ＤＣＩフォーマット１Ｃのサイズに相応することを特徴とする、請求項１に記載の送信方法。
【請求項４】
前記ＤＣＩを取得する過程は、
複数のキャリアの個別ＴＤＤ設定情報を指示するための複数のＴＤＤ設定識別子を１つのＤＣＩに多重化する過程をさらに含むことを特徴とする、請求項１に記載の送信方法。
【請求項５】
前記ＤＣＩの周期は、前記ＴＤＤ設定情報を受信するため、前記ＤＣＩをモニタリングする少なくとも１つのサブフレームに関連することを特徴とする、請求項１に記載の送信方法。
【請求項６】
無線通信システムにおいて、端末のＴＤＤ（Ｔｉｍｅ  Ｄｉｖｉｓｉｏｎ  Ｄｕｐｌｅｘ）設定情報受信方法であって、
前記ＴＤＤ設定情報を含むダウンリンク制御情報（ＤＣＩ：Ｄｏｗｎｌｉｎｋ  Ｃｏｎｔｒｏｌ  Ｉｎｆｏｒｍａｔｉｏｎ）の周期を含む設定情報を受信する過程と、
前記ＴＤＤ設定情報のためのＲＮＴＩ（ｒａｄｉｏ  ｎｅｔｗｏｒｋ  ｔｅｍｐｏｒａｒｙ  ｉｄｅｎｔｉｆｉｅｒ）を識別する過程と、
前記ＴＤＤ設定情報を含み、前記ＲＮＴＩでスクランブリングされたＣＲＣ（ｃｙｃｌｉｃ  ｒｅｄｕｎｄａｎｃｙ  ｃｈｅｃｋ）シーケンスが添付された前記ＤＣＩを制御チャンネルを介して受信する過程と、
前記ＤＣＩに基づいて前記ＴＤＤ設定情報を識別する過程と、を含み、
前記ＴＤＤ設定情報は、ダウンリンクサブフレーム、アップリンクサブフレーム及びスペシャルサブフレームを含むラジオフレームを指示する受信方法。
【請求項７】
前記ＲＮＴＩで前記制御チャンネルをブラインド復調する過程をさらに含むことを特徴とする、請求項６に記載の受信方法。
【請求項８】
前記ＤＣＩは、複数のアップリンク／ダウンリンク設定のうちいずれか１つを指示する３ビット（ｂｉｔ）情報を含むことを特徴とする、請求項６に記載の受信方法。
【請求項９】
前記ＤＣＩのサイズは、ＤＣＩフォーマット１Ｃのサイズに相応することを特徴とする、請求項６に記載の受信方法。
【請求項１０】
前記ＤＣＩは、複数のキャリアの個別ＴＤＤ設定情報を指示するための複数のＴＤＤ設定識別子を含むことを特徴とする、請求項６に記載の受信方法。
【請求項１１】
前記ＤＣＩの周期は、前記ＴＤＤ設定情報を受信するため、前記ＤＣＩをモニタリングする少なくとも１つのサブフレームに関連することを特徴とする、請求項６に記載の受信方法。
【請求項１２】
無線通信システムでＴＤＤ（Ｔｉｍｅ  Ｄｉｖｉｓｉｏｎ  Ｄｕｐｌｅｘ）設定情報を送信する基地局であって、
信号を送信又は受信する無線通信部と、
前記ＴＤＤ設定情報を含むダウンリンク制御情報（ＤＣＩ：Ｄｏｗｎｌｉｎｋ  Ｃｏｎｔｒｏｌ  Ｉｎｆｏｒｍａｔｉｏｎ）の周期を含む設定情報を送信し、前記ＴＤＤ設定情報のためのＲＮＴＩ（ｒａｄｉｏ  ｎｅｔｗｏｒｋ  ｔｅｍｐｏｒａｒｙ  ｉｄｅｎｔｉｆｉｅｒ）を識別し、前記ＴＤＤ設定情報を含む前記ＤＣＩを取得し、前記ＲＮＴＩでスクランブリングされたＣＲＣ（ｃｙｃｌｉｃ  ｒｅｄｕｎｄａｎｃｙ  ｃｈｅｃｋ）シーケンスを前記ＤＣＩに添付し、前記ＣＲＣシーケンスが添付された前記ＤＣＩを制御チャンネルを介して送信するように制御する制御部と、を含み、
前記ＴＤＤ設定情報は、ダウンリンクサブフレーム、アップリンクサブフレーム及びスペシャルサブフレームを含むラジオフレームを指示する基地局。
【請求項１３】
前記ＤＣＩは、複数のアップリンク/ダウンリンク設定のうちいずれか１つを指示する３ビット（ｂｉｔ）情報を含むことを特徴とする、請求項１２に記載の基地局。
【請求項１４】
前記ＤＣＩのサイズは、ＤＣＩフォーマット１Ｃのサイズに相応することを特徴とする、請求項１２に記載の基地局。
【請求項１５】
前記制御部は、複数のキャリアの個別ＴＤＤ設定情報を指示するための複数のＴＤＤ設定識別子を１つのＤＣＩに多重化することを特徴とする、請求項１２に記載の基地局。
【請求項１６】
前記ＤＣＩの周期は、前記ＴＤＤ設定情報を受信するため、前記ＤＣＩをモニタリングする少なくとも１つのサブフレームに関連することを特徴とする、請求項１４に記載の基地局。
【請求項１７】
無線通信システムにおいて、ＴＤＤ（Ｔｉｍｅ  Ｄｉｖｉｓｉｏｎ  Ｄｕｐｌｅｘ）設定情報を受信する端末であって、
信号を送信又は受信する無線通信部と、
前記ＴＤＤ設定情報を含むダウンリンク制御情報（ＤＣＩ：Ｄｏｗｎｌｉｎｋ  Ｃｏｎｔｒｏｌ  Ｉｎｆｏｒｍａｔｉｏｎ）の周期を含む設定情報を受信し、前記ＴＤＤ設定情報のためのＲＮＴＩ（ｒａｄｉｏ  ｎｅｔｗｏｒｋ  ｔｅｍｐｏｒａｒｙ  ｉｄｅｎｔｉｆｉｅｒ）を識別し、前記ＴＤＤ設定情報を含み、前記ＲＮＴＩでスクランブリングされたＣＲＣ（ｃｙｃｌｉｃ  ｒｅｄｕｎｄａｎｃｙ  ｃｈｅｃｋ）シーケンスが添付された前記ＤＣＩを制御チャンネルを介して受信し、前記ＤＣＩに基づいて前記ＴＤＤ設定情報を識別するように制御する制御部と、を含み、
前記ＴＤＤ設定情報は、ダウンリンクサブフレーム、アップリンクサブフレーム及びスペシャルサブフレームを含むラジオフレームを指示する端末。
【請求項１８】
前記ＲＮＴＩで前記制御チャンネルをブラインド復調することを特徴とする、請求項１７に記載の端末。
【請求項１９】
前記ＤＣＩは、複数のアップリンク／ダウンリンク設定のうちいずれか１つを指示する３ビット（ｂｉｔ）情報を含むことを特徴とする、請求項１７に記載の端末。
【請求項２０】
前記ＤＣＩのサイズは、ＤＣＩフォーマット１Ｃのサイズに相応することを特徴とする、請求項１７に記載の端末。
【請求項２１】
前記ＤＣＩは、複数のキャリアの個別ＴＤＤ設定情報を指示するための複数のＴＤＤ設定識別子を含むことを特徴とする、請求項１７に記載の端末。
【請求項２２】
前記ＤＣＩの周期は、前記ＴＤＤ設定情報を受信するため、前記ＤＣＩをモニタリングする少なくとも１つのサブフレームに関連することを特徴とする、請求項１７に記載の端末。